(57)【要約】【課題】警告表示の仕方を改善することによって、ユーザによる使用感や使い勝手を向上させた画像形成装置を提供すること。【解決手段】画像形成装置は、表示部に警告表示が表示されている最中に、その警告表示の対象である消耗品の使用を伴う動作を実行する機能が実行機能指定手段により指定された場合には、表示部の表示内容は警告表示のままであり、実行機能指定手段により指定された１の機能に応じた情報に切り換えられることはない。そのため、ユーザが消耗品の残量不足によって使用できない機能を実行する可能性があると判断された場合に表示切換を禁止することで、動作実行指示手段による動作の実行指示を与える機会が失われるので、警告表示に対する煩わしさ等を軽減でき、かつ、警告表示が必要である場合には、確実に警告表示がされる。その結果、操作の快適性を向上させることができ、ユーザによる使用感や使い勝手を向上させることができる。【選択図】図１
2008092221.tif 000002
【特許請求の範囲】
【請求項１】
消耗品の使用を伴う動作を実行する機能を含む複数の機能を有し、表示部を備えた画像形成装置であって、
前記複数の機能から１の機能を指定する実行機能指定手段と、
その実行機能指定手段により１の機能が指定された場合に、前記表示部の表示内容を、前記指定された１の機能に応じた情報に切り換える表示切換手段と、
その表示切換手段による切り換えの結果として前記表示部に表示されている情報に応じた動作の実行を指示する動作実行指示手段と、
前記消耗品の残量を検出する残量検出手段と、
その残量検出手段により検出された前記消耗品の残量が予め規定されている所定量以下である場合に、前記表示部に警告表示を表示する警告表示実行手段と、
前記実行機能指定手段により指定された１の機能が、前記警告表示の対象である消耗品の使用を伴う動作を実行するものであるかを判断する機能判断手段と、
前記警告表示実行手段による前記表示部への警告表示の表示中に、前記実行機能指定手段により１の機能が指定され、前記機能判断手段により１の機能が前記警告表示の対象である消耗品の使用を伴う動作を実行するものであると判断された場合には、前記表示切換手段による前記表示部の表示の切り換えを禁止する表示切換禁止手段とを備えていることを特徴とする画像形成装置。
【請求項２】
複数の識別情報と、その識別情報に対して前記複数の機能の中で使用を許可する機能と、を対応付けて記憶する使用制限記憶手段を備え、
前記実行機能指定手段により指定される機能が、前記使用制限記憶手段により記憶される複数の識別情報のうちの１つを選択して設定する機能であり、
前記機能判断手段は、前記実行機能指定手段により設定された識別情報に対応する使用を許可する機能の中に、前記警告表示の対象である消耗品を使用する機能が含まれている場合に、前記警告表示の対象である消耗品の使用を伴う動作を実行するものであると判断することを特徴とする請求項１記載の画像形成装置。
【請求項３】
前記複数の識別情報のうちの１つが設定されている状態において、前記警告表示実行手段による前記表示部への警告表示の表示中に、前記実行機能指定手段により前記識別情報の設定以外の機能が指定された場合に、前記機能判断手段は、前記指定された１の機能が前記警告表示の対象である消耗品の使用を伴う動作を実行するものであるかを判断することを特徴とする請求項２記載の画像形成装置。
【請求項４】
前記実行機能指定手段により指定された１の機能に応じた情報に含まれる設定値を変更する設定値変更手段を備え、
前記表示切換手段は、前記設定値変更手段により設定値が変更された場合に、前記表示部の表示内容を、変更した設定値に応じた情報に切り換え、
前記表示切換禁止手段は、前記設定値変更手段により変更された設定値における前記実行機能指定手段により指定された１の機能の実行が、前記警告表示の対象である消耗品の使用を伴う場合に、前記表示切換手段による前記表示部の表示の切り換えを禁止することを特徴とする請求項１から３のいずれかに記載の画像形成装置。
【発明の詳細な説明】
【技術分野】
【０００１】
本発明は、消耗品の使用を伴う動作を実行する機能を含む複数の機能を有する画像形成装置に関する。
【背景技術】
【０００２】
従来、色トナー又はブラックトナーなどの記録材を使用し、記録媒体上にカラー又はモノクロ画像を形成する画像形成装置が多く知られている（例えば、特許文献１参照）。かかる画像形成装置で使用される記録材は消耗品であり、記録材の残量が無くなった場合に画像形成が不可能となる。そこで、記録材の残量が無くなったことが検出された場合には、その旨を警告表示する。
【０００３】
例えば、特許文献１には、イエローのトナー無しが検出された場合に、「イエロートナーがありません」というメッセージ（警告表示）を操作画面に表示する画像形成装置が開示されている。また、この特許文献１には、イエローのトナー無しが検出された場合に、上記メッセージと共に、「モノクロでコピーできます」というメッセージが操作画面に表示されることも記載されている。
【特許文献１】特開平２００１−８３７５０号公報
【発明の開示】
【発明が解決しようとする課題】
【０００４】
しかしながら、ユーザが使用を所望する機能を実行する上で不必要な消耗品の残量不足によって警告表示が表示された場合には、ユーザはかかる警告表示に煩わしさを感じる等、操作の快適性が損なわれるという問題点があった。例えば、カラー印刷を所望するユーザにとって、色トナーが無い旨の警告表示は必要であるが、カラー印刷ではなくモノクロ印刷を所望するユーザは、色トナーが無い旨の警告表示をしばしば煩わしく思うことがある。
【０００５】
特に、画像形成装置によっては、配置スペースの関係上などの理由で１行又は２行テキストのみ表示可能な小型の表示画面を採用しているものがある。かかる小型の表示画面に警告表示が表示された場合には、他の情報の表示ができなくなる。そのため、小型の表示画面を採用する画像形成装置を使用するユーザは、不要な警告表示が表示される毎に、その警告表示を一層煩わしく感じる傾向にある。
【０００６】
本発明は、上述した問題点を解決するためになされたものであり、警告表示の仕方を改善することによって、ユーザによる使用感や使い勝手を向上させた画像形成装置を提供することを目的としている。
【課題を解決するための手段】
【０００７】
この目的を達成するために、請求項１記載の画像形成装置は、消耗品の使用を伴う動作を実行する機能を含む複数の機能を有し、表示部を備えたものであって、前記複数の機能から１の機能を指定する実行機能指定手段と、その実行機能指定手段により１の機能が指定された場合に、前記表示部の表示内容を、前記指定された１の機能に応じた情報に切り換える表示切換手段と、その表示切換手段による切り換えの結果として前記表示部に表示されている情報に応じた動作の実行を指示する動作実行指示手段と、前記消耗品の残量を検出する残量検出手段と、その残量検出手段により検出された前記消耗品の残量が予め規定されている所定量以下である場合に、前記表示部に警告表示を表示する警告表示実行手段と、前記実行機能指定手段により指定された１の機能が、前記警告表示の対象である消耗品の使用を伴う動作を実行するものであるかを判断する機能判断手段と、前記警告表示実行手段による前記表示部への警告表示の表示中に、前記実行機能指定手段により１の機能が指定され、前記機能判断手段により１の機能が前記警告表示の対象である消耗品の使用を伴う動作を実行するものであると判断された場合には、前記表示切換手段による前記表示部の表示の切り換えを禁止する表示切換禁止手段とを備えている。
【０００８】
請求項２記載の画像形成装置は、請求項１記載の画像形成装置であって、複数の識別情報と、その識別情報に対して前記複数の機能の中で使用を許可する機能と、を対応付けて記憶する使用制限記憶手段を備え、前記実行機能指定手段により指定される機能が、前記使用制限記憶手段により記憶される複数の識別情報のうちの１つを選択して設定する機能であり、前記機能判断手段は、前記実行機能指定手段により設定された識別情報に対応する使用を許可する機能の中に、前記警告表示の対象である消耗品を使用する機能が含まれている場合に、前記警告表示の対象である消耗品の使用を伴う動作を実行するものであると判断する。
【０００９】
請求項３記載の画像形成装置は、請求項２記載の画像形成装置であって、前記複数の識別情報のうちの１つが設定されている状態において、前記警告表示実行手段による前記表示部への警告表示の表示中に、前記実行機能指定手段により前記識別情報の設定以外の機能が指定された場合に、前記機能判断手段は、前記指定された１の機能が前記警告表示の対象である消耗品の使用を伴う動作を実行するものであるかを判断する。
【００１０】
請求項４記載の画像形成装置は、請求項１から３のいずれかに記載の画像形成装置であって、前記実行機能指定手段により指定された１の機能に応じた情報に含まれる設定値を変更する設定値変更手段を備え、前記表示切換手段は、前記設定値変更手段により設定値が変更された場合に、前記表示部の表示内容を、変更した設定値に応じた情報に切り換え、前記表示切換禁止手段は、前記設定値変更手段により変更された設定値における前記実行機能指定手段により指定された１の機能の実行が、前記警告表示の対象である消耗品の使用を伴う場合に、前記表示切換手段による前記表示部の表示の切り換えを禁止する。
【発明の効果】
【００１１】
請求項１記載の画像形成装置によれば、消耗品の使用を伴う動作を実行する機能を含む複数の機能の中から１の機能が、実行機能指定手段により指定された場合に、表示切換手段により、表示部の表示内容が、指定された１の機能に応じた情報に切り換えられる。ここで、表示切換手段による切り換えの結果として表示部に表示されている情報に応じた動作の実行が動作実行指示手段により指示されると、かかる指示された動作の実行が行われる。
【００１２】
その一方で、残量検出手段により検出された消耗品の残量が予め規定されている所定量以下である場合には、警告表示実行手段により、表示部に警告表示が表示される。そのように警告表示実行手段により表示部に警告表示が表示されている場合に、１の機能が実行機能指定手段により指定され、かかる１の機能が警告表示の対象である消耗品の使用を伴う動作を実行するものであると機能判断手段により判断された場合には、表示切換禁止手段により、表示切換手段による表示部の表示の切り換えが禁止される。
【００１３】
よって、表示部に警告表示が表示されている最中に、その警告表示の対象である消耗品の使用を伴う動作を実行する機能が実行機能指定手段により指定された場合には、表示切換手段による表示部の表示の切り換えが禁止される。即ち、かかる場合には、表示部の表示内容は、警告表示のままであり、実行機能指定手段により指定された１の機能に応じた情報に切り換えられることはない。
【００１４】
そのため、ユーザが消耗品の残量不足によって使用できない機能を実行する可能性があると判断された場合に表示切換を禁止することで、動作実行指示手段による動作の実行指示を与える機会が失われるので、警告表示に対する煩わしさ等を軽減でき、かつ、警告表示が必要である場合には、確実に警告表示がされる。その結果、操作の快適性を向上させることができ、ユーザによる使用感や使い勝手を向上させることができるという効果がある。
【００１５】
請求項２記載の画像形成装置によれば、請求項１記載の画像形成装置の奏する効果に加えて、次の効果を奏する。実行機能指定手段により指定される機能が、使用制限記憶手段に記憶される複数の識別情報の中から１つの識別情報を選択して設定する機能である場合に、その実行機能指定手段により設定された識別情報に対し、使用制限記憶手段において使用を許可する機能として対応付けられている機能の中に、表示部に表示中の警告表示の対象である消耗品を使用する機能が含まれていれば、機能判断手段により、警告表示の対象である消耗品の使用を伴う動作を実行するものであると判断される。
【００１６】
よって、使用制限記憶手段に記憶される複数の識別情報の中から１つの識別情報を選択して設定した場合に、設定された識別情報に対して許可されている機能の中に、警告表示されている消耗品を使用する機能がある場合には、機能判断手段による判断の結果、表示切換手段による表示部の表示の切り換えが禁止される。即ち、かかる場合には、表示部の表示内容は、警告表示のままであり、実行機能指定手段により指定された１の機能に応じた情報に切り換えられることはない。
【００１７】
そのため、ユーザが消耗品の残量不足によって使用できない機能を実行する可能性があると判断された場合に表示切換を禁止することで、動作実行指示手段による動作の実行指示を与える機会が失われるので、警告表示に対する煩わしさ等を軽減でき、かつ、警告表示が必要である場合には、確実に警告表示がされる。その結果、操作の快適性を向上させることができ、ユーザによる使用感や使い勝手を向上させることができるという効果がある。
【００１８】
請求項３記載の画像形成装置によれば、請求項２記載の画像形成装置の奏する効果に加えて、次の効果を奏する。複数の識別情報のうちの１つが設定されている状態において、警告表示実行手段による表示部への警告表示の表示中に、実行機能指定手段により識別情報の設定以外の機能が指定された場合には、その指定された１の機能が警告表示の対象である消耗品の使用を伴う動作を実行するものであるかが機能判断手段によって判断される。
【００１９】
よって、複数の識別情報のうちの１つが設定されている状態において、表示部に警告表示が表示されている最中に、実行機能指定手段により指定された識別情報の設定以外の１の機能が、機能判断手段によって、該警告表示の対象である消耗品の使用を伴う動作を実行する機能であると判断された場合には、表示切換禁止手段により、表示切換手段による表示部の表示の切り換えが禁止される。即ち、かかる場合には、表示部の表示内容は、警告表示のままであり、実行機能指定手段により指定された１の機能に応じた情報に切り換えられることはない。
【００２０】
そのため、ユーザが消耗品の残量不足によって使用できない機能を実行する可能性があると判断された場合に表示切換を禁止することで、動作実行指示手段による動作の実行指示を与える機会が失われるので、警告表示に対する煩わしさ等を軽減でき、警告表示が必要である場合には、確実に警告表示がされる。その結果、操作の快適性を向上させることができ、ユーザによる使用感や使い勝手を向上させることができるという効果がある。
【００２１】
請求項４記載の画像形成装置によれば、請求項１から３のいずれかに記載の画像形成装置の奏する効果に加えて、次の効果を奏する。実行機能指定手段により指定された１の機能に応じた情報に含まれる設定値が設定値変更手段により変更された場合には、表示切換手段により、表示部の表示内容が変更した設定値に応じた情報に切り換えられるが、実行機能指定手段により指定された１の機能の実行を設定値変更手段により変更された設定値で実行する上において、表示部に表示中の警告表示の対象である消耗品の使用を伴う場合には、表示切換禁止手段によって、表示切換手段による前記表示部の表示の切り換えが禁止される。
【００２２】
よって、１の機能における設定値が、警告表示中の消耗品の使用を伴う設定値に変更された場合には、表示切換手段によって表示部の表示内容を変更した設定値に応じた情報に切り換えることが禁止される。即ち、かかる場合には、表示部の表示内容は、警告表示のままであり、設定値変更手段により変更された設定値に応じた情報に切り換えられることはない。
【００２３】
そのため、ユーザが設定値を変更することによって、消耗品の残量不足によって使用できない機能が実行されるおそれがある場合に、設定値に応じた情報に対して、動作実行指示手段による動作の実行指示を与える機会が失われるので、警告表示に対する煩わしさ等を軽減でき、かつ、警告表示が必要である場合には確実に警告表示がされる。その結果、操作の快適性を向上させることができ、ユーザによる使用感や使い勝手を向上させることができるという効果がある。
【発明を実施するための最良の形態】
【００２４】
以下、本発明の好ましい実施形態について、添付図面を参照して説明する。図１は、本発明における一実施形態の多機能周辺装置（以下、「ＭＦＤ（Ｍｕｌｔｉ  Ｆｕｎｃｔｉｏｎ  Ｄｅｖｉｃｅ）」と略す）１の構成を示すブロック図である。ＭＦＤ１は、電話回線網１００を介してファクシミリ通信を実現するファクシミリ機能（ファクシミリ送信機能及びファクシミリ受信機能）や、電話回線網１００を介して音声通話を実現する音声通話機能の他に、プリント機能（カラープリント機能及びモノクロプリント機能）、コピー機能（カラーコピー機能及びモノクロコピー機能）、及びスキャナ機能などの各種の機能を１台に備えた装置である。また、本実施形態のＭＦＤ１は、ユーザロック機能をさらに備えており、かかるユーザロック機能により、ログインしたユーザ毎に使用可能な機能を制限することができるように構成されている。
【００２５】
図１に示すように、ＭＦＤ１は、ＭＦＤ１全体の動作を制御するＣＰＵ１２と、そのＣＰＵ１２により実行される各種の制御プログラムや固定値データを記憶するものであって、後述するユーザ使用機能制限テーブル１４ａを備えるＲＯＭ１４と、ＣＰＵ１２により実行される各種処理に必要なデータやプログラム等を一時的に記憶するためのメモリであるＲＡＭ１６と、画像メモリ１８と、スキャナ部２２と、プリンタ部２４と、シアンインク残量センサ５２と、マゼンタインク残量センサ５４と、イエローインク残量センサ５６と、ブラックインク残量センサ５８と、普通紙残量センサ６２と、光沢紙残量センサ６４と、モデム２６と、回線制御部２８と、ＭＦＤ１の本体部から取り外し可能であり、音声通話機能において送話及び受話するために使用される送受話器３０と、操作入力キー３４及びＬＣＤ（Ｌｉｑｕｉｄ  Ｃｒｙｓｔａｌ  Ｄｉｓｐｌａｙ）３６を含む操作パネル部３２と、スピーカ及びそのスピーカを駆動する駆動回路から構成されるスピーカ部３８と、パーソナルコンピュータなどの外部制御装置との接続を可能とするインターフェイスであるホストＩ／Ｆ４２とを備えている。
【００２６】
このうち、ＣＰＵ１２と、ＲＯＭ１４と、ＲＡＭ１６と、画像メモリ１８と、スキャナ部２２と、プリンタ部２４と、シアンインク残量センサ５２と、マゼンタインク残量センサ５４と、イエローインク残量センサ５６と、ブラックインク残量センサ５８と、普通紙残量センサ６２と、光沢紙残量センサ６４と、モデム２６と、回線制御部２８と、操作部３４と、ＬＣＤ３６と、スピーカ部３８と、ホストＩ／Ｆ４２と、ＵＳＢＩ／Ｆ４４とは、バスライン４６を介して互いに接続されている。なお、回線制御部２８と、モデム２６又は送受話器３０とは、後述する伝送経路によって接続されている。
【００２７】
図１に示すように、本実施形態のＭＦＤ１に設けられているＲＡＭ１６は、カラーインクなしフラグ１６ａと、Ｋインクなしフラグ１６ｂと、普通紙なしフラグ１６ｃと、光沢紙なしフラグ１６ｄとを備えている。
【００２８】
カラーインクなしフラグ１６ａは、カラーインクの残量があるか否かを示すフラグである。カラーインクなしフラグ１６ａがオンされていれば、カラーインクの残量がないことを示し、オフであれば、カラーインクの残量があることを示す。なお、本明細書において用語「カラーインク」は、モノクロ印刷を可能とするブラックインクを除くインクを示している。
【００２９】
このカラーインクなしフラグ１６ａは、ＭＦＤ１への電源の投入によって初期化（オフ）された後、後述する初期画面表示処理（図５参照）やインク残量エラー表示処理（図９参照）において、シアンインク、マゼンタインク、又はイエローインクのうちの少なくとも１色が残量なしと検出された場合にオンされる。なお、本明細書中において、センサによって検出される「残量なし」とは、残量がゼロであることを意図するものではなく、残量が予め規定された量以下であることを意図するものである。
【００３０】
Ｋインクなしフラグ１６ｂは、ブラックインクの残量があるか否かを示すフラグである。Ｋインクなしフラグ１６ｂがオンされていれば、ブラックインクの残量がないことを示し、オフであれば、ブラックインクの残量があることを示す。このＫインクなしフラグ１６ｂは、ＭＦＤ１への電源の投入によって初期化（オフ）された後、後述する初期画面表示処理（図５参照）やインク残量エラー表示処理（図９参照）において、ブラックインクが残量なしと検出された場合にオンされる。
【００３１】
普通紙なしフラグ１６ｃおよび光沢紙なしフラグ１６ｄは、それぞれ、普通紙用の給紙トレイ（図示せず）に収容されている普通紙の残量があるか否か、および、光沢紙用の給紙トレイ（図示せず）に収容されている光沢紙の残量があるか否かを示すフラグである。普通紙なしフラグ１６ｃがオンされていれば、普通紙の残量がないことを示し、オフであれば、普通紙の残量があることを示す。同様に、光沢紙なしフラグ１６ｄがオンされていれば、光沢紙の残量がないことを示し、オフであれば、普通紙の残量があることを示す。この普通紙なしフラグ１６ｃおよび光沢紙なしフラグ１６ｄは、いずれも、後述する記録紙量検出処理（図１１参照）において、かかる処理の初めに一旦初期化（オフ）された後、これらの記録紙の少なくとも一方が残量なしと検出された場合に対応するフラグ１６ｃ，１６ｄがオンされる。
【００３２】
画像メモリ１８は、大容量メモリであるダイナミックＲＡＭ（ＤＲＡＭ）におり構成されるものである。相手側装置から電話回線網１００を介して受信したファクシミリデータに基づいて生成されたイメージデータや、ＭＦＤ１がファクシミリとして機能する場合に、スキャナ部２２による読み取りによって生成されたイメージデータは、この画像メモリ１８に一旦格納される。なお、ファクシミリの受信時に画像メモリ１８に格納されたイメージデータは、かかるイメージデータがプリンタ部２４によって記録紙に印刷されると消去され、ファクシミリの送信時に画像メモリ１８に格納されたイメージデータは、かかるイメージデータから生成されたファクシミリデータが電話回線網１００を介して相手側装置へ送信されると消去される。
【００３３】
スキャナ部２２は、ＣＰＵ１２からの指示に基づいて、所定の読取位置（図示せず）にセットされた原稿から画像の読み取りを行うと共に、この画像のイメージデータを生成するためのものであり、画像読み取り用のセンサ（図示せず）を備えている。
【００３４】
プリンタ部２４は、ＣＰＵ１２からの指示に基づいて、所定の給紙位置（図示せず）にセットされた記録紙への印刷を行うためのインクジェット方式のプリンタで構成され、記録紙を搬送する記録紙搬送用モータ（図示せず）と、記録紙へインクを吐出する印字ヘッド（図示せず）と、その印字ヘッドを搭載したキャリッジ（図示せず）を移動させるキャリッジモータ（図示せず）とを備えている。
【００３５】
また、プリンタ部２４は、印字ヘッド（図示せず）へ供給されるインクの充填されたインクカートリッジを装着するインクカートリッジ装着部（図示せず）を備えている。４色のインク（シアン、マゼンタ、イエロー、ブラック）を使用する構成の本実施形態のＭＦＤ１におけるインクカートリッジ装着部は、各色のインクを充填した４種類のインクカートリッジがそれぞれ独立して着脱できるように構成されている。
【００３６】
さらに、プリンタ部２４は、記録紙を収容する給紙トレイ（図示せず）を備えている。本実施形態のＭＦＤ１は、普通紙を専用に収容する普通紙用の給紙トレイと、光沢紙を専用に収容する光沢紙用の給紙トレイとを有している。
【００３７】
シアンインク残量センサ５２、マゼンタインク残量センサ５４、イエローインク残量センサ５６、及びブラックインク残量センサ５４は、それぞれ、インクカートリッジ装着部に装着されている対応インク用のインクカートリッジ内のインク残量を検出するセンサである。これらの残量センサ５２，５４，５６，５８は、いずれも、赤外光を発光する発光部（図示せず）と、反射赤外光を受光する受光部（図示せず）とから構成される光学的センサであって、発光部から赤外光をインクカートリッジの光透過部分における所定位置へ入射し、その反射光を受光部によって受光し、受光した反射光の光量に基づいてインクの有無を検出するものである。
【００３８】
普通紙残量センサ６２及び光沢紙残量センサ６４は、それぞれ、普通紙用の給紙トレイ（図示せず）内にセットされた普通紙の残量と、光沢紙用の給紙トレイ（図示せず）内にセットされた光沢紙の残量を検出するリミット式センサである。
【００３９】
モデム２６は、ＣＰＵ１２からの指示に基づいて、スキャナ部２２で生成されたイメージデータを変調して、回線制御部２８を介して電話回線網１００に伝送可能な画像信号を生成したり、電話回線１００から回線制御部２８を介して入力された画像信号をイメージデータに復調するものである。
【００４０】
回線制御部２８は、電話回線網１００からの各種信号の入力と、電話回線網１００への信号の出力を行うと共に、ＣＰＵ１２からの指示に基づいて、電話回線網１００との間で入出力する信号の伝送先及び伝送元となる伝送経路を設定する。この「伝送経路」としては、操作部３４により画像を送信する（ファクシミリデータを送信する）ための操作が行われる際、又は、電話回線網１００から画像信号を受信した（ファクシミリデータを受信した）際に設定されるモデム２６へ向かう経路が挙げられる。このようにモデム２６へ向かう経路が設定されると、かかる経路を画像信号が伝達可能な状態となる。一方で、この設定された伝送経路は、モデム２６による画像信号の出力が終了した際、又は、電話回線１００からの画像信号の入力が終了した際に解除され、この経路を画像信号が伝送されない状態となる。また、別の伝送経路としては、送受話器３０をＭＦＤ１の本体部から取り外す操作（オフフック操作）が行われた際に設定される回線制御部２８から送受話器３０へ向かう経路がある。このように回線制御部２８から送受話器３０へ向かう経路が設定されると、かかる経路を音声信号が伝送可能な状態となる。こうして設定された伝送経路は、送受話器３０をＭＦＤ１の本体部に戻す操作（オンフック操作）が行われた際に解除され、この経路を音声信号が伝送されない状態となる。
【００４１】
図２は、操作パネル部３２を示す模式図である。この操作パネル部３２は、ＭＦＤ１におけるマンインターフェイスであり、ユーザはこの操作パネル部３２を介してＭＦＤ１に各種機能を実行させることができる。
【００４２】
図２に示すように、操作パネル３２には、操作者の操作（押下）によってＭＦＤ１に操作指示を与えることのできる複数の操作入力キー３４が各部に設けられており、ＭＦＤ１における各種情報を表示する１行表示タイプのＬＣＤ３６が左上部に設けられている。
【００４３】
本実施形態のＭＦＤ１には、図２に示すように、文字又は数字を入力するためのテンキーや、元画像に対する印刷画像を拡大又は縮小を指示するための拡大／縮小キーや、決定を指示するための決定キーや、各種処理や動作を開始するためのスタートキーや、実行中の処理又は動作をキャンセルするためのキャンセルキーが、複数の操作入力キー３４として操作パネル３２上に配設されている。
【００４４】
また、本実施形態におけるＭＦＤ１の操作パネル３２には、上記したキー以外の操作入力キー３４として、５つのキーから構成される機能キー７１と、カラーキー７２と、画質キー７３とが配設されている。
【００４５】
機能キー７１は、ＭＦＤ１の実行する機能を指示するキーであり、スキャン機能の実行を指示するＳＣＡＮキーと、ファクシミリ機能の実行を指示するＦＡＸキーと、コピー機能の実行を指示するＣＯＰＹキーと、プリント機能の実行を指示するＰＲＩＮＴキーと、ユーザロック機能に適用される設定ユーザを変更するユーザ変更機能を指示するＵＳＥＲキーとから構成される。
【００４６】
カラーキー７２は、プリント部２４による印刷の実行時にカラー印刷かモノクロ印刷かの色設定を行うキーであり、カラーキー７２が押下される毎に、ＬＣＤ３６に「カラー印刷」又は「モノクロ印刷」の表示が交互に表示される。ユーザは所望する色設定がＬＣＤ３６に表示されているときに決定キー（操作入力キー３４の１つ）が押下されると、その色設定への変更が確定する。
【００４７】
画質キー７３は、プリント部２４により印刷を行う際の画質を設定するキーであり、画質キー７３が押下される毎に、ＬＣＤ３６に、高画質設定を示す「Ｆｉｎｅ」、標準画質設定を示す「Ｔｅｘｔ」、又は自動設定を示す「Ａｕｔｏ」の表示が順次表示される。ユーザは所望する画質設定がＬＣＤ３６に表示されているときに決定キーが押下されると、その画質設定への変更が確定する。
【００４８】
また、ＬＣＤ３６には、ＭＦＤ１の状態に関する情報が表示される。例えば、ＭＦＤ１がコピーレディ状態にある場合には、図２に示すように「モノクロコピー  ０１」の表示（レディ画面）がＬＣＤ３６に表示される。また、図２に示したレディ画面の表示だけでなく、操作入力キー３４に操作入力指示が入力された場合には、入力された操作指示に応じた表示文字列（例えば、「印刷中」の表示や、パラメータとして入力された数値の表示など）が表示され、インク残量不足などのエラーが生じた場合には、エラーに応じたエラー表示（例えば、「カラーインクなし」）が表示される。
【００４９】
本実施形態のＭＦＤ１は、上記したようにユーザロック機能をさらに備えており、各ユーザに対して使用を許可する機能及び使用を禁止する機能は、ＲＯＭ１４内のユーザ使用制限テーブル１４ａにおいて管理されている。ここで、図３を参照して、かかるユーザ使用制限テーブル１４ａについて説明する。図３は、ＲＯＭ１４内に記憶されているユーザ使制限テーブル１４ａを表す模式図である。
【００５０】
図３に示すように、ユーザ使用制限テーブル１４ａは、第１のユーザである「ユーザ０」（列１４ａ１）、第２のユーザである「ユーザ１」（列１４ａ２）、及び、第３のユーザである「ユーザ２」（列１４ａ３）に対して、それぞれ、７つの機能（「ファクシミリ送信機能」、「ファクシミリ受信機能」、「モノクロコピー機能」、「カラーコピー機能」、「モノクロプリント機能」、「カラープリント機能」、及び「スキャナ機能」）に対する使用許可状態が対応付けられて記憶されている。かかるユーザ使用制限テーブル１４ａによれば、例えば、ユーザ０に対し、７つの機能の全てに「許可」が記憶されているので、ユーザ０のログイン中は、ユーザロック機能により、これら７つの機能を全て使用することができる。一方で、ユーザ１に対しては、カラーインクを使用しない５つの機能（ファクシミリ送信機能、ファクシミリ受信機能、モノクロコピー機能、モノクロプリント機能、及びスキャナ機能）については「許可」が記憶されているが、カラーインクを使用する２つの機能（カラーコピー機能及びカラープリント機能）について「禁止」が記憶されている。よって、ユーザ１のログイン中は、ユーザロック機能により、カラーインクを使用しない５つの機能を使用することができるが、カラーインクを使用する２つの機能は使用することができない。
【００５１】
次に、図４を参照し、上記構成を有するＭＦＤ１において実行される動作について説明する。なお、図４は、ＭＦＤ１のＣＰＵ１２により実行されるメイン処理を示すフローチャートである。このメイン処理は、ＭＦＤ１への電源投入により起動され、電源が遮断されるまで繰り返される処理である。
【００５２】
図４に示すように、このメイン処理では、まず、カラーインクなしフラグ１６ａやＫインクなしフラグ１６ｂの初期化（オフ）などを行う初期化処理を実行した後（Ｓ４０１）、ＬＣＤ３６への初期画面を表示する初期画面表示処理を実行し（Ｓ４０２）、入力操作キー３４など各種キーの操作があったかを確認する（Ｓ４０３）。Ｓ４０３の処理により確認した結果、キー操作がなければ（Ｓ４０３：Ｎｏ）、Ｓ４０３へ戻り、キー操作があるまで待機する。
【００５３】
一方で、Ｓ４０３の処理により確認した結果、キー操作があれば（Ｓ４０３：Ｙｅｓ）、ＬＣＤ３６の画面を、操作されたキーの種類に応じた画面に変更する表示画面変更処理を実行する（Ｓ４０４）。そして、表示画面変更処理（Ｓ４０４）の実行後、Ｓ４０３の処理へ移行し、再び、キー操作があるまで待機する。
【００５４】
なお、初期画面表示処理（Ｓ４０２）で実行される具体的処理については、図５などを参照しつつ後述する。また、表示画面変更処理（Ｓ４０４）で実行される具体的処理については、図６などを参照しつつ後述する。
【００５５】
次に、図５を参照して、上述したメイン処理（図４参照）の中で実行される初期画面表示処理（Ｓ４０２）について説明する。図５は、初期画面表示処理（Ｓ４０１）を示すフローチャートである。
【００５６】
図５に示すように、この初期画面表示処理（Ｓ４０２）では、まず、シアンインク残量センサ５２、マゼンタインク残量センサ５４、イエローインク残量センサ５６、及びブラックインク残量センサ５４を用い、各インクの残量を検出し（Ｓ５０１）、カラーインクなしが検出されたか、即ち、シアンインク、マゼンタインク、又はイエローインクのうちの少なくとも１色が残量なしと検出されたかを確認する（Ｓ５０２）。
【００５７】
Ｓ５０２の処理により確認した結果、カラーインクなしが検出された場合には（Ｓ５０２：Ｙｅｓ）、カラーインクなしフラグ１６ａをオンし（Ｓ５０３）、Ｓ５０４の処理へ移行する。一方で、Ｓ５０２の処理により確認した結果、カラーインクなしが検出されなかった場合には（Ｓ５０２：Ｎｏ）、Ｓ５０３の処理をスキップして、Ｓ５０４の処理へ移行する。
【００５８】
Ｓ５０３の処理では、ブラックインクなしが検出されたかを確認する（Ｓ５０３）。Ｓ５０３の処理により確認した結果、ブラックインクなしが検出された場合には（Ｓ５０３：Ｙｅｓ）、Ｋなしフラグ１６ｂをオンし（Ｓ５０５）、Ｓ５０６の処理へ移行する。一方で、Ｓ５０３の処理により確認した結果、ブラックインクなしが検出されなかった場合には（Ｓ５０３：Ｎｏ）、Ｓ５０５の処理をスキップして、Ｓ５０６の処理へ移行する。
【００５９】
Ｓ５０６の処理では、ユーザ使用制限テーブル１４ａを参照し、ログイン中のユーザがカラー印刷を行う機能が許可されているか、即ち、カラーコピー機能又はカラープリント機能の少なくとも一方が許可されているかを確認する（Ｓ５０６）。なお、本実施形態のＭＦＤ１は、電源投入時にはユーザ０が自動的にログインされる構成となっているので、Ｓ５０６の処理では、ユーザ使用制限テーブル１４ａを参照し、ユーザ０がカラー印刷を行う機能の使用を許可されているかを確認することになる。
【００６０】
Ｓ５０６の処理により確認した結果、ユーザ０がカラー印刷を行う機能を許可されていれば（Ｓ５０６：Ｙｅｓ）、カラーインクなしフラグ１６ａがオンであるかを確認し（Ｓ５０７）、カラーインクなしフラグ１６ａがオンである場合、即ち、Ｓ５０１の処理の結果として、シアンインク、マゼンタインク、又はイエローインクのうちの少なくとも１色が残量なしと検出されていた場合には（Ｓ５０７：Ｙｅｓ）、Ｋインクなしフラグ１６ｂがオンであるかを確認する（Ｓ５０８）。
【００６１】
Ｓ５０８の処理により確認した結果、Kインクなしフラグ１６ｂがオンである場合には（Ｓ５０８：Ｙｅｓ）、カラーインクもブラックインクも残量なしであることを示すエラー表示である「カラー及びブラックインクなし」をＬＣＤ３６に表示し（Ｓ５０９）、この初期画面表示処理（Ｓ４０２）を終了する。
【００６２】
一方で、Ｓ５０８の処理により確認した結果、Kインクなしフラグ１６ｂがオフである場合には（Ｓ５０８：Ｎｏ）、ブラックインクの残量はあるがカラーインクの残量がないことを示すエラー表示である「カラーインクなし」をＬＣＤ３６に表示し（Ｓ５１０）、この初期画面表示処理（Ｓ４０２）を終了する。
【００６３】
また、Ｓ５０７の処理により確認した結果、カラーインクなしフラグ１６ａがオフである場合、即ち、Ｓ５０１の処理の結果として、シアンインク、マゼンタインク、又はイエローインクの全てが残量ありと検出されていた場合には（Ｓ５０７：Ｎｏ）、Ｋインクなしフラグ１６ｂがオンであるかを確認する（Ｓ５１２）。
【００６４】
Ｓ５１２の処理により確認した結果、Kインクなしフラグ１６ｂがオンである場合には（Ｓ５１２：Ｙｅｓ）、カラーインクの残量はあるがブラックインクの残量がないことを示すエラー表示である「ブラックインクなし」をＬＣＤ３６に表示し（Ｓ５１３）、この初期画面表示処理（Ｓ４０２）を終了する。
【００６５】
一方で、Ｓ５１２の処理により確認した結果、Ｋインクなしフラグ１６ｂがオフである場合には（Ｓ５１２：Ｎｏ）、ログイン中のユーザであるユーザ０のログイン時に表示されるレディ画面をＬＣＤ３６に表示し（Ｓ５１４）、この初期画面表示処理（Ｓ４０２）を終了する。
【００６６】
よって、この初期画面表示処理（Ｓ４０２）によれば、電源投入時に自動的にログインされたユーザ０に対して、カラー印刷を行う機能が許可されている場合には、カラー印刷をするために必要とされるカラーインク及びブラックインクの残量がいずれもある場合にのみ、レディ画面がＬＣＤ３６に表示され、これら４色のインクのうち、少なくとも１つが残量なし（残量不足）であった場合には、対応するエラー表示がＬＣＤ３６に表示される。
【００６７】
また、Ｓ５０６の処理により確認した結果、ユーザ０がカラー印刷を行う機能を許可されていなければ（Ｓ５０６：Ｎｏ）、ユーザ使用制限テーブル１４ａを参照し、ユーザ０がモノクロ印刷を行う機能が許可されているか、即ち、モノクロコピー機能、カラープリント機能、又はファクシミリ受信機能のうちの少なくとも１つの機能が許可されているかを確認する（Ｓ５１１）。Ｓ５１１の処理により確認した結果、ユーザ０がモノクロ印刷を行う機能を許可されていなければ（Ｓ５１１：Ｎｏ）、Ｓ５１２の処理へ移行する。
【００６８】
従って、この初期画面表示処理（Ｓ４０２）によれば、電源投入時に自動的にログインされたユーザ０に対して、カラー印刷を行う機能が許可されていないが、モノクロ印刷を行う機能が許可されている場合には、モノクロ印刷をするために必要とされるブラックインクが残量なし（残量不足）である場合にのみ、エラー表示がＬＣＤ３６に表示され、ブラックインクの残量がありさえすれば、レディ画面がＬＣＤ３６に表示される。
【００６９】
一方で、Ｓ５１１の処理により確認した結果、ユーザ０がモノクロ印刷を行う機能が許可されていない場合、即ち、カラー印刷もモノクロ印刷も行わない機能であるスキャナ機能又はファクシミリ送信機能の少なくとも一方が許可されている場合には（Ｓ５１１：Ｎｏ）、Ｓ５１４の処理へ移行する。
【００７０】
このように、初期画面表示処理（Ｓ４０２）によれば、電源投入時に自動的にログインされたユーザ０に対して、カラー印刷を行う機能でもモノクロ印刷を行う機能でもない機能が許可されている場合には、４色のインクの残量とは無関係にレディ画面がＬＣＤ３６に表示される。
【００７１】
次に、図６を参照して、上述したメイン処理（図４参照）の中で実行される表示画面変更処理（Ｓ４０４）について説明する。図６は、表示画面変更処理（Ｓ４０４）を示すフローチャートである。
【００７２】
図６に示すように、この表示画面変更処理（Ｓ４０４）では、まず、Ｓ４０３（図４参照）において操作の確認されたキーが、ユーザ変更機能の選択、即ち、ＵＳＥＲキー（機能キー７１の１つ）が操作されたかを確認する（Ｓ６０１）。
【００７３】
Ｓ６０１の処理により確認した結果、ユーザ変更機能の選択がされた場合には（Ｓ６０１：Ｙｅｓ）、テンキー（入力操作キー３４の一部）の操作によるユーザ名及びユーザ毎に予め設定されているパスワードが正しく入力されたかを確認し（Ｓ６０２）、ユーザ名及びパスワードが正しく入力されなければ（Ｓ６０２：Ｎｏ）、Ｓ６０２へ戻り、これらが正しく入力されるまで待機する。
【００７４】
一方で、Ｓ６０２の処理により確認した結果、ユーザ名及びパスワードが正しく入力されていた場合には（Ｓ６０２：Ｙｅｓ）、カラーインクなしフラグ１６ａがオンになっているかを確認し（Ｓ６０３）、かかるフラグがオンになっている場合には（Ｓ６０３：Ｙｅｓ）、Ｓ６０４へ移行し、Ｋなしフラグ１６ｂがオンになっているかを確認する（Ｓ６０４）。かかるフラグがオンになっている場合は（Ｓ６０４：Ｙｅｓ）、Ｓ６０５へ移行する。
【００７５】
Ｓ６０５では、ログインしたユーザに対して許可されている機能はカラーインクを使用する機能を含むかが確認される。即ち、ログインしたユーザに対応する使用許可機能を、ユーザ使用制限テーブル１４ａから読み出し、カラーコピー機能又はカラープリント機能の少なくとも一方の機能が使用許可であるかを確認する。
【００７６】
Ｓ６０５の処理により確認した結果、ログインしたユーザに対して許可されている機能が、カラーインクを使用する機能を含む場合には（Ｓ６０５：Ｙｅｓ）、ＬＣＤ３６に「カラー及びブラックインクなし」のエラー表示し（Ｓ６０６）、この表示画面変更処理（Ｓ４０４）を終了する。
【００７７】
Ｓ６０５の処理により確認した結果、ログインしたユーザに対して許可されている機能が、カラーインクを使用する機能を含まない場合には（Ｓ６０５：Ｎｏ）、Ｓ６１０へ移行する。
【００７８】
Ｓ６０４の処理により確認した結果、Ｋなしフラグ１６ｂがオンでなければ（Ｓ６０４：Ｎｏ）、ユーザ使用制限テーブル１４ａを参照し、ログインしたユーザに対して許可されている機能が、カラーインクを使用する機能を含むか、即ち、カラーコピー機能又はカラープリント機能の少なくとも一方の機能を含むかを確認する（Ｓ６０７）。
【００７９】
Ｓ６０７の処理により確認した結果、ログインしたユーザに対して許可されている機能が、カラーインクを使用する機能を含む場合には（Ｓ６０７：Ｙｅｓ）、ＬＣＤ３６に「カラーインクなし」のエラー表示を行い（Ｓ６０８）、この表示画面変更処理（Ｓ４０４）を終了する。
【００８０】
一方で、Ｓ６０７の処理により確認した結果、ログインしたユーザに対して許可されている機能が、カラーインクを使用する機能を含まない場合には（Ｓ６０８：Ｎｏ）、Ｓ６１０へ移行する。
【００８１】
Ｓ６０３の処理により確認した結果、カラーインクなしフラグ１６ａがオンでなければ（Ｓ６０３：Ｎｏ）、Ｓ６０９に移行し、Ｋなしフラグ１６ｂがオンであるか確認する。Ｓ６０９の処理により確認した結果、Ｋなしフラグ１６ｂがオンである場合は、Ｓ６１０へ移行する。
【００８２】
Ｓ６１０では、ログインしたユーザに対して許可されている機能が、ブラックインクを使用する機能を含むか、即ち、モノクロコピー機能、カラーコピー機能、モノクロプリント機能、カラープリント機能、又はファクシミリ受信機能のうちの少なくとも１つの機能を含むかを確認する。
【００８３】
Ｓ６１０の処理により確認した結果、ログインしたユーザに対して許可されている機能が、ブラックインクを使用する機能を含む場合には（Ｓ６１０：Ｙｅｓ）、ＬＣＤ３６に「ブラックインクなし」のエラー表示を行い（Ｓ６１１）、この表示画面変更処理（Ｓ４０４）を終了する。
【００８４】
一方で、Ｓ６１０の処理により確認した結果、ログインしたユーザに対して許可されている機能が、ブラックインクを使用する機能を含まない、即ち、カラーインクもブラックインクも使わないスキャナ機能又はファクシミリ送信機能の少なくとも一方が許可されているだけであれば（Ｓ６１０：Ｎｏ）、ログインしたユーザに応じたログイン時のレディ画面をＬＣＤ３６に表示する（Ｓ６１２）。
【００８５】
また、Ｓ６０９の処理により確認した結果、Ｋトナーなしフラグ１６ｂがオンでない場合、即ち、いずれのインクの残量も所定量以上ある場合には（Ｓ６０９：Ｎｏ）、Ｓ６１１の処理へ移行する。Ｓ６１２にて、ログインしたユーザに応じたログイン時のレディ画面をＬＣＤ３６に表示すると、図７を参照しつつ後述するファクシミリ受信処理を実行し（Ｓ６１３）、この表示画面変更処理Ｓ４０４を終了する。
【００８６】
また、Ｓ６０１の処理により確認した結果、Ｓ４０３（図４参照）において操作の確認されたキーが、ユーザ変更機能の選択以外を選択するキーであった場合には（Ｓ６０１：Ｎｏ）、操作されたキーに応じた処理を実行する機能実行処理を実行した後（Ｓ６１４）、インク残量の検出と検出結果に応じてＬＣＤ３６にエラー表示を行うインク残量エラー表示処理を実行して（Ｓ６１５）、この表示画面変更処理（Ｓ４０４）を終了する。なお、機能実行処理（Ｓ６１４）で実行される具体的処理については、図８を参照しつつ後述し、インク残量エラー表示処理（Ｓ６１５）で実行される具体的処理については、図９参照しつつ後述する。
【００８７】
よって、この表示画面変更処理（Ｓ４０４）によれば、新たなユーザがログインする際に「カラー及びブラックインクなし」のエラー表示がＬＣＤ３６に表示されていた場合には、ログインした新たなユーザに対して許可されている機能の中に、カラーインク又はブラックインクを使用する機能が含まれていなければ、ログインしたユーザに応じたレディ画面がＬＣＤ３６に表示される。
【００８８】
しかし、ログインした新たなユーザに対して許可されている機能の中に、カラーインク又はブラックインクを使用する機能が含まれている場合には、ＬＣＤ３６に表示中のエラー表示がレディ画面に切り換わることなく、エラー表示が継続されることになる。そのため、レディ画面の表示後に実行可能とされる機能は、エラー表示の継続によって実行指示を与える機会が失われる。従って、機能を実行する際にかかるエラー表示（「カラー及びブラックインクなし」）が何度も繰り返して表示されることがないので、１行表示タイプのＬＣＤ３６にエラー表示がされることによる煩わしさ等が軽減され、操作の快適性が向上する。
【００８９】
また、カラーインクの残量が所定値以下であって、ログイン前のユーザが、カラーインクを使用する機能が許可されていない場合に、ログインすることによってカラーインクを使用する機能が許可されたユーザに変更された場合（たとえば、図３においてユーザ１からユーザ２に変更）、ＬＣＤ３６の表示内容が、レディ画面表示からカラーインクなしの表示にかわるため、ログインすることによって、カラーインクを使用する機能に関する動作実行を行う前に、カラーインクがないことを知ることができ、その後の動作の実行を加える制限がかかるため、操作の快適性が向上される。
【００９０】
この表示画面変更処理（Ｓ４０４）によれば、新たなユーザがログインする際に「ブラックインクなし」のエラー表示がＬＣＤ３６に表示されていた場合には、ログインした新たなユーザに対して許可されている機能の中に、ブラックインクを使用する機能（モノクロコピー機能、カラーコピー機能、モノクロプリント機能、カラープリント機能、及びファクシミリ受信機能）が含まれていなければ、ログインしたユーザに応じたレディ画面がＬＣＤ３６に表示される。
【００９１】
しかし、ログインした新たなユーザに対して許可されている機能の中に、ブラックインクを使用する機能が含まれている場合には、ＬＣＤ３６に表示中のエラー表示がレディ画面に切り換わることなく、エラー表示が継続されることになる。
そのため、レディ画面の表示後に実行可能とされる機能は、エラー表示の継続によって実行指示を与える機会が失われる。従って、機能を実行する際にかかるエラー表示（「ブラックインクなし」）が何度も繰り返して表示されることがないので、１行表示タイプのＬＣＤ３６にエラー表示がされることによる煩わしさ等が軽減され、操作の快適性が向上する。
【００９２】
次に、図７を参照して、上述した表示画面変更処理（図６参照）の中で実行されるファクシミリ受信処理（Ｓ６１３）について説明する。
【００９３】
図７に示すように、このファクシミリ受信処理では、まず、ユーザ使用制限テーブル１４ａを参照し、ログインしたユーザがファクシミリ受信機能を許可されているかを確認する（Ｓ７０１）。
【００９４】
Ｓ７０１の処理により確認した結果、ログインしたユーザがファクシミリ受信機能を許可されている場合には（Ｓ７０１：Ｙｅｓ）、画像メモリ１８に受信データ（受信したファクシミリデータ）があるかを確認し（Ｓ７０２）、受信データがあれば（Ｓ７０２：Ｙｅｓ）、かかる受信データをプリンタ部２４により記録紙へ印刷する印刷処理を実行する（Ｓ７０３）。
【００９５】
印刷処理（Ｓ７０４）の実行後、インク残量の検出と検出結果に応じてＬＣＤ３６にエラー表示を行うインク残量エラー表示処理を実行し（Ｓ７０４）、このファクシミリ受信処理（Ｓ６１３）を終了する。なお、このインク残量エラー表示処理（Ｓ７０４）で実行される具体的処理については、図９を参照しつつ後述する。
【００９６】
また、Ｓ７０１の処理により確認した結果、ログインしたユーザがファクシミリ受信機能を許可されていない場合（Ｓ７０１：Ｎｏ）、又は、Ｓ７０２の処理により確認した結果、画像メモリ１８に受信データがない場合には（Ｓ７０２：Ｎｏ）、そのまま、このファクシミリ受信処理（Ｓ６１３）を終了する。
【００９７】
よって、このファクシミリ受信処理（Ｓ６１３）によれば、ブラックインクのインク残量が所定量以上あり、ログインしたユーザにファクシミリ受信機能が許可されており、画像メモリに受信データがある場合は、ユーザがログインすることで、自動的にファクシミリ受信処理が行われ、操作の快適性が向上される。さらに、印刷処理を行った後、再びインク残量エラー表示処理を行うため、正確なインク残量の検出結果に基づいた表示が行われる。
【００９８】
次に、図８を参照して、上述した表示画面変更処理（図６参照）の中で実行される機能実行処理（Ｓ６１４）について説明する。図８は、機能実行処理（Ｓ６１４）を示すフローチャートである。
【００９９】
図８に示すように、この機能実行処理（Ｓ６１４）では、まず、Ｓ４０３（図４参照）において操作の確認されたキーが、コピー機能の選択、即ち、ＣＯＰＹキー（機能キー７１の１つ）が操作されたかを確認し（Ｓ８０１）、コピー機能の選択がされた場合には（Ｓ８０１：Ｙｅｓ）、コピー機能処理を実行し（Ｓ８０２）、この機能実行処理（Ｓ６１４）を終了する。
【０１００】
このコピー機能処理（Ｓ８０２）は、ログイン中のユーザが、ユーザ使用制限テーブル１４ａにおいてコピー機能（カラーコピー機能及び／又はモノクロコピー機能）を許可されている場合に、コピー処理を実行する処理である。
【０１０１】
一方で、Ｓ８０１の処理により確認した結果、コピー機能が選択されていない場合には（Ｓ８０１：Ｎｏ）、プリント機能の選択、即ち、Ｓ４０３（図４参照）において操作の確認されたキーがＰＲＩＮＴキー（機能キー７１の１つ）であるかを確認する（Ｓ８０３）。
【０１０２】
Ｓ８０３の処理により確認した結果、プリント機能の選択がされた場合には（Ｓ８０３：Ｙｅｓ）、プリント機能処理を実行し（Ｓ８０４）、この機能実行処理（Ｓ６１４）を終了する。なお、プリント機能処理（Ｓ８０４）は、ログイン中のユーザが、ユーザ使用制限テーブル１４ａにおいてプリント機能（カラープリント機能及び／又はモノクロプリント機能）を許可されている場合に、プリント処理を実行する処理である。
【０１０３】
また、Ｓ８０３の処理により確認した結果、プリント機能が選択されていない場合には（Ｓ８０３：Ｎｏ）、ファクシミリ機能の選択、即ち、Ｓ４０３（図４参照）において操作の確認されたキーがＦＡＸキー（機能キー７１の１つ）であるかを確認する（Ｓ８０５）。
【０１０４】
Ｓ８０５の処理により確認した結果、ファクシミリ機能の選択がされた場合には（Ｓ８０５：Ｙｅｓ）、ファクシミリ機能処理を実行し（Ｓ８０６）、この機能実行処理（Ｓ６１４）を終了する。なお、ファクシミリ機能処理（Ｓ８０６）では、ログイン中のユーザが、ユーザ使用制限テーブル１４ａにおいてファクシミリ受信機能を許可されている場合には、画像メモリ１８に記憶されている受信データがあれば、かかるプリンタ部２４により記録紙へ印刷した後、ファクシミリデータの受信を待機する状態へ移行する。また、ファクシミリ送信機能を許可されている場合には、ファクシミリデータの送信を待機する状態へ移行する。
【０１０５】
また、Ｓ８０５の処理により確認した結果、ファクシミリ機能が選択されていない場合には（Ｓ８０５：Ｎｏ）、スキャナ機能の選択、即ち、Ｓ４０３（図４参照）において操作の確認されたキーがＳＣＡＮキー（機能キー７１の１つ）であるかを確認する（Ｓ８０７）。
【０１０６】
Ｓ８０７の処理により確認した結果、スキャナ機能の選択がされた場合には（Ｓ８０７：Ｙｅｓ）、スキャナ機能処理を実行し（Ｓ８０８）、この機能実行処理（Ｓ６１４）を終了する。なお、スキャナ機能処理（Ｓ８０８）は、ログイン中のユーザが、ユーザ使用制限テーブル１４ａにおいてスキャナ機能を許可されている場合に、スキャナ処理を実行する処理である。
【０１０７】
一方で、Ｓ８０７の処理により確認した結果、スキャナ機能が選択されていない場合には（Ｓ８０５：Ｎｏ）、Ｓ４０３（図４参照）において操作の確認されたキーが機能キー７１以外の入力操作キー３４であり、各入力操作キー３４に応じたその他の処理を実行し（Ｓ８０９）、この機能実行処理（Ｓ８０４）を終了する。このその他の処理（Ｓ８０９）で実行される処理としては、例えば、プリンタ部２４の印字ヘッド（図示せず）をクリーニングする処理などが挙げられる。
【０１０８】
次に、図９を参照して、上述した表示画面変更処理（図６参照）の中で実行されるインク残量エラー表示処理（Ｓ６０６）について説明する。図９は、インク残量エラー表示処理（Ｓ６０６）を示すフローチャートである。
【０１０９】
図９に示すように、このインク残量エラー表示処理（Ｓ６０６）では、まず、シアンインク残量センサ５２、マゼンタインク残量センサ５４、イエローインク残量センサ５６、及びブラックインク残量センサ５４を用い、各インクの残量を検出し（Ｓ９０１）、ブラックインクなしが検出されたかを確認する（Ｓ９０２）。Ｓ９０２の処理により確認した結果、ブラックインクなしが検出された場合には（Ｓ９０２：Ｙｅｓ）、カラーインクなしが検出されたか、即ち、シアンインク、マゼンタインク、又はイエローインクのうちの少なくとも１色が残量なしと検出されたかを確認する（Ｓ９０３）。
【０１１０】
Ｓ９０３の処理により確認した結果、カラーインクなしが検出された場合には（Ｓ９０３：Ｙｅｓ）、カラーインクなしフラグ１６ａをオンし（Ｓ９０４）、Ｋインクなしフラグ１６ｂをオンし（Ｓ９０５）、カラーインクもブラックインクも残量なしであることを示すエラー表示である「カラー及びブラックインクなし」をＬＣＤ３６に表示し（Ｓ９０６）、このインク残量エラー表示処理（Ｓ６０６）を終了する。
【０１１１】
一方で、９０３の処理により確認した結果、カラーインクなしが検出されなかった場合には（Ｓ９０３：Ｎｏ）、カラーインクなしフラグ１６ａをオフし（Ｓ９０７）、Ｋインクなしフラグ１６ｂをオンし（Ｓ９０８）、カラーインクの残量はあるがブラックインクの残量がないことを示すエラー表示である「ブラックインクなし」をＬＣＤ３６に表示し（Ｓ９０９）、このインク残量エラー表示処理（Ｓ６０６）を終了する。
【０１１２】
また、Ｓ９０２の処理により確認した結果、ブラックインクなしが検出されなかった場合には（Ｓ９０２：Ｎｏ）、カラーインクなしが検出されたかを確認し（Ｓ９１０）、カラーインクなしが検出された場合には（Ｓ９１０：Ｙｅｓ）、カラーインクなしフラグ１６ａをオンし（Ｓ９１１）、Ｋインクなしフラグ１６ｂをオフし（Ｓ９１２）、ブラックインクの残量はあるがカラーインクの残量がないことを示すエラー表示である「カラーインクなし」をＬＣＤ３６に表示し（Ｓ９１３）、このインク残量エラー表示処理（Ｓ６０６）を終了する。
【０１１３】
また、Ｓ９１０の処理により確認した結果、カラーインクなしが検出されなかった場合、即ち、カラーインク及びブラックインクの残量がいずれもある場合には（Ｓ９１０：Ｎｏ）、カラーインクなしフラグ１６ａをオフし（Ｓ９１４）、Ｋインクなしフラグ１６ｂをオンし（Ｓ９０５）、このインク残量エラー表示処理（Ｓ６０６）を終了する。
【０１１４】
よって、このインク残量エラー表示処理（Ｓ６０６）によれば、機能実行処理（図８参照）が実行された結果として、カラーインク又はブラックインクの残量がなくなった場合に、対応するエラー表示がＬＣＤ３６に表示される。
【０１１５】
なお、上述したカラーインクのみなし時表示画面変更処理（図７参照）の中で実行されるインク残量エラー表示処理（Ｓ７０４）は、図９に示したインク残量エラー表示処理（Ｓ６０６）と同じ処理である。
【０１１６】
また、インクカートリッジを交換した際もまた、図９に示したインク残量エラー表示処理（Ｓ６０６）と同様の処理が行われる。なお、この場合には、カラーインク及びブラックインクの残量がいずれもあることが検出されたときにＬＣＤ３６にエラー表示がされていれば、そのエラー表示を解除した後に処理を終了する。
【０１１７】
次に、図１０を参照して、上述した機能実行処理（図８参照）の中で実行されるコピー機能処理（Ｓ８０２）について説明する。図１０は、コピー機能処理（Ｓ８０２）を示すフローチャートである。
【０１１８】
図１０に示すように、このコピー機能処理（Ｓ８０２）では、まず、カラーコピー機能が選択されているかを確認し（Ｓ１００１）、カラーコピー機能が選択されている場合には（Ｓ１００１：Ｙｅｓ）、ユーザ使用制限テーブル１４ａを参照し、ログイン中のユーザがカラーコピー機能を許可されているかを確認する（Ｓ１００２）。
【０１１９】
Ｓ１００２の処理により確認した結果、ログイン中のユーザがカラーコピー機能を許可されていない場合には（Ｓ１００２：Ｎｏ）、ユーザロック機能によりカラーコピー機能を使用することができないので、このコピー機能処理（Ｓ８０２）を終了する。
【０１２０】
一方で、Ｓ１００２の処理により確認した結果、ログイン中のユーザがカラーコピー機能を許可されていれば（Ｓ１００２：Ｙｅｓ）、ＬＣＤ３６に「カラー及びブラックインクなし」のエラー表示が表示中であるかを確認する（Ｓ１００３）。
【０１２１】
Ｓ１００３の処理により確認した結果、ＬＣＤ３６に「カラー及びブラックインクなし」のエラー表示が表示されていれば（Ｓ１００３：Ｙｅｓ）、そのまま、このコピー機能処理（Ｓ８０２）を終了する。
【０１２２】
一方で、Ｓ１００３の処理により確認した結果、ＬＣＤ３６に「カラー及びブラックインクなし」のエラー表示が表示されていなければ（Ｓ１００３：Ｙｅｓ）、ＬＣＤ３６に「カラーインクなし」のエラー表示が表示中であるかを確認する（Ｓ１００４）。
【０１２３】
Ｓ１００４の処理により確認した結果、ＬＣＤ３６に「カラーインクなし」のエラー表示が表示されていれば（Ｓ１００４：Ｙｅｓ）、そのまま、このコピー機能処理（Ｓ８０２）を終了する。
【０１２４】
また、Ｓ１００３の処理により確認した結果、ＬＣＤ３６に「カラーインクなし」のエラー表示が表示されていなければ（Ｓ１００４：Ｙｅｓ）、ＬＣＤ３６に「ブラックインクなし」のエラー表示が表示中であるかを確認する（Ｓ１００７）。
【０１２５】
Ｓ１００６の処理により確認した結果、ＬＣＤ３６に「ブラックインクなし」のエラー表示が表示されていれば（Ｓ１００７：Ｙｅｓ）、そのまま、このコピー機能処理（Ｓ８０２）を終了する。
【０１２６】
よって、このコピー機能処理（Ｓ８０２）によれば、カラーコピー機能を許可されているユーザがカラーコピー機能を実行しようとしたとしても、かかるカラーコピー機能の実行に必要とされる４色のインクのうち、少なくとも１つが残量なし（残量不足）であった場合には、エラー表示がコピーレディ画面に切り換えられることなく、コピー機能処理（Ｓ８０２）を終了する。
【０１２７】
ここで、カラーコピー機能の実行に必要とされる４色のインクのうち、少なくとも１つが残量なし（残量不足）であった場合であっても、コピーレディ画面に切り換えられる多機能周辺装置を考えた場合に、このような資材不足（消耗品の残量不足）の状態でコピーレディ画面に切り換えると、その後、スタートボタンの押下によって再度エラー表示がされることになり、操作の快適性が損なわれる。しかし、本実施形態のＭＦＤ１では、コピーレディ画面の表示後に実行可能とされるカラーコピー機能は、エラー表示の継続によって実行指示を与える機会が失われる。従って、機能を実行する際にインク残量に係わるエラー表示が何度も繰り返して表示されることがないので、１行表示タイプのＬＣＤ３６にエラー表示がされることによる煩わしさ等が軽減され、操作の快適性が向上するのである。
【０１２８】
また、Ｓ１００１の処理により確認した結果、カラーコピー機能ではなく、モノクロコピー機能が選択されている場合には（Ｓ１００１：Ｎｏ）、ユーザ使用制限テーブル１４ａを参照し、ログイン中のユーザがモノクロコピー機能を許可されているかを確認する（Ｓ１００５）。
【０１２９】
Ｓ１００５の処理により確認した結果、ログイン中のユーザがモノクロコピー機能を許可されていない場合には（Ｓ１００５：Ｎｏ）、ユーザロック機能によりモノクロコピー機能を使用することができないので、このコピー機能処理（Ｓ８０２）を終了する。
【０１３０】
一方で、Ｓ１００５の処理により確認した結果、ログイン中のユーザがモノクロコピー機能を許可されていれば（Ｓ１００５：Ｙｅｓ）、ＬＣＤ３６に「カラー及びブラックインクなし」のエラー表示が表示中であるかを確認する（Ｓ１００６）。
【０１３１】
Ｓ１００６の処理により確認した結果、ＬＣＤ３６に「カラー及びブラックインクなし」のエラー表示が表示されていれば（Ｓ１００６：Ｙｅｓ）、そのまま、このコピー機能処理（Ｓ８０２）を終了する。
【０１３２】
一方で、Ｓ１００６の処理により確認した結果、ＬＣＤ３６に「カラー及びブラックインクなし」のエラー表示が表示されていなければ（Ｓ１００６：Ｙｅｓ）、ＬＣＤ３６に「ブラックインクなし」のエラー表示が表示中であるかを確認する（Ｓ１００７）。
【０１３３】
Ｓ１００７の処理により確認した結果、ＬＣＤ３６に「ブラックインクなし」のエラー表示が表示されていれば（Ｓ１００６：Ｙｅｓ）、そのまま、このコピー機能処理（Ｓ８０２）を終了する。
【０１３４】
よって、このコピー機能処理（Ｓ８０２）によれば、モノクロコピー機能を許可されているユーザがモノクロコピー機能を実行しようとしたとしても、かかるモノクロコピー機能の実行に必要とされるブラックインクが残量なし（残量不足）であった場合には、コピーレディ画面がＬＣＤ３６に表示されることなく、コピー機能処理（Ｓ８０２）を終了する。
【０１３５】
ここで、モノクロコピー機能の実行に必要とされるブラックインクが残量なし（残量不足）であった場合であっても、コピーレディ画面が表示される多機能周辺装置を考えた場合に、このような資材不足（消耗品の残量不足）の状態でコピーレディ画面を表示すると、その後、スタートボタンの押下によって再度エラー表示がされることになり、操作の快適性が損なわれる。しかし、本実施形態のＭＦＤ１では、コピーレディ画面の表示後に実行可能とされるモノクロコピー機能は、エラー表示の継続によって実行指示を与える機会が失われる。従って、インクの残量に係わるエラー表示が何度も繰り返して表示されることがないので、１行表示タイプのＬＣＤ３６にエラー表示がされることによる煩わしさ等が軽減され、操作の快適性が向上するのである。
【０１３６】
一方で、Ｓ１００７の処理により確認した結果、ＬＣＤ３６に「ブラックインクなし」のエラー表示が表示されていれない場合、即ち、ＬＣＤ３６にいずれのエラー表示もされていない場合には（Ｓ１００７：Ｎｏ）、記録紙の残量を検出する記録紙残量検出処理を実行し（Ｓ１００８）、その記録紙残量検出処理（Ｓ１００８）の処理結果に基づき、エラーがある場合にＬＣＤ３６にエラー表示を行う記録紙残量エラー表示処理を実行し（Ｓ１００９）、画質設定などを行うコピー条件設定処理を実行する（Ｓ１０１０）。
【０１３７】
なお、記録紙残量検出処理（Ｓ１００７）の具体的処理については、図１１を参照しつつ後述し、記録紙残量エラー表示処理（Ｓ１００９）の具体的処理については、図１２を参照しつつ後述し、コピー条件設定処理（Ｓ１０１０）の具体的処理については、図１３を参照しつつ後述する。
【０１３８】
コピー条件設定処理（Ｓ１０１０）の実行後、記録紙残量に係わるエラー表示があるかを確認し（Ｓ１０１１）、かかるエラー表示があれば（Ｓ１０１１：Ｎｏ）、このコピー機能処理（Ｓ８０２）を終了する。
【０１３９】
一方で、Ｓ１０１１の処理により確認した結果、記録紙残量に係わるエラー表示がなければ（Ｓ１０１１：Ｎｏ）、キャンセルキー（操作入力キー３７の１つ）が押下されたかを確認する（Ｓ１０１２）。
【０１４０】
Ｓ１０１２の処理により確認した結果、キャンセルキーの押下がなければ（Ｓ１０１２：Ｎｏ）、コピー機能の実行を指定するＣＯＰＹキー以外の機能キー７１（その他機能キー７１）の押下があったかを確認する（Ｓ１０１３）。
【０１４１】
Ｓ１０１３の処理により確認した結果、その他機能キー７１の押下がなければ（Ｓ１０１３：Ｎｏ）、スタートキー（操作入力キー３７の１つ）が押下されたかを確認する（Ｓ１０１４）。ここで、スタートキーの押下がなければ（Ｓ１０１３：Ｎｏ）、Ｓ１０１２の処理へ移行する。
【０１４２】
一方で、Ｓ１０１４の処理により確認した結果、スタートキーの押下があれば（Ｓ１０１４：Ｙｅｓ）、Ｓ１００１において確認された機能（カラーコピー機能又はモノクロコピー機能）でのコピー処理を実行し（Ｓ１０１５）、このコピー機能処理（Ｓ８０２）を終了する。なお、コピー処理（Ｓ１０１５）は、スキャナ部２２によって読み取られた原稿のイメージデータを、プリンタ部２４により記録紙に印刷する処理である。
【０１４３】
また、Ｓ１０１２の処理により確認した結果、キャンセルキーが押下された場合には（Ｓ１０１１）、このコピー機能処理（Ｓ８０２）を終了し、コピー機能の実行をキャンセルする。また、Ｓ１０１３の処理により確認した結果、その他機能キー７１の押下が確認された場合には（Ｓ１０１３：Ｙｅｓ）、押下された機能キー７１での機能を実行するために、このコピー機能処理（Ｓ８０２）を終了する。
【０１４４】
なお、本明細書では、機能実行処理（図８参照）の中で実行されるプリント機能処理（Ｓ８０４）のフローチャートを図示しないが、かかるプリント機能処理（Ｓ８０４）は、図８を参照しつつ説明したコピー機能処理（Ｓ８０２）と同様の処理が実行される。よって、このプリント機能処理（Ｓ８０４）もまた、カラープリント機能又はモノクロプリント機能が許可されたユーザが、インク残量に係わるエラー表示の表示中に、かかるエラー表示の対象である資材（消耗品）を用いる機能を実行しようとしたとしても、エラー表示がプリントレディ画面に切り換えられることなく、プリント機能処理（Ｓ８０４）を終了する。
【０１４５】
同様に、ファクシミリ機能処理（Ｓ８０６）においても、ファクシミリ受信機能が許可されたユーザが、ブラックインクの残量なしによるエラー表示の表示中に、かかるエラー表示の対象である資材（消耗品）、即ち、ブラックインクを用いるファクシミリ受信機能実行しようとしたとしても、エラー表示がプリントレディ画面に切り換えられないように構成されている。
【０１４６】
よって、これらの機能処理（Ｓ８０４，Ｓ８０６）においても、資材不足の状態ではエラー表示の継続によって機能の実行指示を与える機会が失われる。その結果、エラー表示が何度も繰り返して表示されることがないので、１行表示タイプのＬＣＤ３６にエラー表示がされることによる煩わしさ等が軽減され、操作の快適性が向上する。
【０１４７】
次に、図１１を参照して、上述したコピー機能処理（Ｓ８０２）の中で実行される記録紙残量検出処理（Ｓ１００８）について説明する。図１１は、記録紙残量検出処理（Ｓ１００８）を示すフローチャートである。
【０１４８】
図１１に示すように、この記録紙残量検出処理（Ｓ１００８）では、まず、普通紙なしフラグ１６ｃをオフし（Ｓ１１０１）、光沢紙なしフラグ１６ｄをオフする（Ｓ１１０２）。
【０１４９】
Ｓ１１０２の処理後、普通紙残量センサ６２及び光沢紙残量センサ６４を用い、各給紙トレイ（図示せず）の状況を検出し（Ｓ１１０３）、普通紙なしが検出されたかを確認する（Ｓ１１０４）。
【０１５０】
Ｓ１１０４の処理により確認した結果、普通紙なしが検出された場合には（Ｓ１１０４：Ｙｅｓ）、普通紙なしフラグ１６ｃをオンし（Ｓ１１０５）、Ｓ１１０６の処理へ移行する。一方で、Ｓ１１０４の処理により確認した結果、普通紙なしが検出されなかった場合には（Ｓ１１０４：Ｎｏ）、Ｓ１１０５の処理をスキップして、Ｓ１１０６の処理へ移行する。
【０１５１】
Ｓ１１０６の処理では、光沢紙なしが検出されたかを確認する（Ｓ１１０６）。Ｓ１１０６の処理により確認した結果、光沢紙なしが検出された場合には（Ｓ１１０６：Ｙｅｓ）、光沢紙なしフラグ１６ｄをオンし（Ｓ１１０７）、この記録紙残量検出処理（Ｓ１００８）を終了する。一方で、Ｓ１１０６の処理により確認した結果、光沢紙なしが検出されなかった場合には（Ｓ１１０６：Ｎｏ）、Ｓ１１０７の処理をスキップして、この記録紙残量検出処理（Ｓ１００８）を終了する。
【０１５２】
次に、図１２を参照して、上述したコピー機能処理（Ｓ８０２）の中で実行される記録紙残量エラー表示処理（Ｓ１００９）について説明する。図１２は記録紙残量エラー表示処理（Ｓ１００９）を示すフローチャートである。
【０１５３】
図１２に示すように、この記録紙残量エラー表示処理（Ｓ１００９）では、まず、光沢紙なしフラグ１６ｄがオンであるかを確認し（Ｓ１２０１）、光沢紙なしフラグ１６ｄがオンである場合には（Ｓ１２０１：Ｙｅｓ）、普通紙なしフラグ１６ｃがオンであるかを確認する（Ｓ１２０２）。
【０１５４】
Ｓ１２０２の処理により確認した結果、普通紙なしフラグ１６ｃがオンである場合には（Ｓ１２０２：Ｙｅｓ）、普通紙も光沢紙も残量なしであることを示すエラー表示である「記録紙なし」をＬＣＤ３６に表示し（Ｓ１２０３）、この記録紙残量エラー表示処理（Ｓ１００９）を終了する。
【０１５５】
一方で、Ｓ１２０２の処理により確認した結果、普通紙なしフラグ１６ｃがオフである場合には（Ｓ１２０２：Ｎｏ）、普通紙の残量はあるが光沢紙の残量がないことを示すエラー表示である「光沢紙なし」をＬＣＤ３６に表示し（Ｓ１２０４）、この記録紙残量エラー表示処理（Ｓ１００９）を終了する。
【０１５６】
また、Ｓ１２０１の処理により確認した結果、光沢紙なしフラグ１６ｄがオフである場合には（Ｓ１２０１：Ｎｏ）、普通紙なしフラグ１６ｃがオンであるかを確認する（Ｓ１２０５）。Ｓ１２０５の処理により確認した結果、普通紙フラグ１６ｃがオンである場合には（Ｓ１２０５：Ｙｅｓ）、光沢紙の残量はあるが普通紙の残量がないことを示すエラー表示である「普通紙なし」をＬＣＤ３６に表示し（Ｓ１２０６）、この記録紙残量エラー表示処理（Ｓ１００９）を終了する。
【０１５７】
一方で、Ｓ１２０５の処理により確認した結果、普通紙なしフラグ１６ｃがオフである場合には（Ｓ１２０５：Ｎｏ）、普通紙及び光沢紙ともにあるので、コピーレディ画面をＬＣＤ３６に表示し（Ｓ１２０７）、この記録紙残量エラー表示処理（Ｓ１００９）を終了する。
【０１５８】
次に、図１３を参照して、上述したコピー機能処理（Ｓ８０２）の中で実行されるコピー条件設定処理（Ｓ１０１０）について説明する。図１３は、コピー条件設定処理（Ｓ１０１０）を示すフローチャートである。
【０１５９】
図１３に示すように、このコピー条件設定処理（Ｓ１０１０）では、まず、画質キー７３の押下が押下されて画質変更が指示されたかを確認し（Ｓ１３０１）、画質変更が指示されていない場合には（Ｓ１３０１：Ｎｏ）、必要に応じて画質以外の条件設定を行うその他条件設定処理を実行し（Ｓ１３０３）、このコピー条件設定処理（Ｓ１０１０）を終了する。
【０１６０】
一方で、Ｓ１３０１の処理により確認した結果、画質変更が指示された場合には（Ｓ１３０１：Ｙｅｓ）、ＬＣＤ３６に「記録紙なし」のエラー表示が表示中であるかを確認する（Ｓ１３０２）。
【０１６１】
Ｓ１３０２の処理により確認した結果、ＬＣＤ３６に「記録紙なし」のエラー表示が表示されていれば（Ｓ１３０２：Ｙｅｓ）、その他条件設定処理（Ｓ１３０３）の処理へ移行する。なお、その他条件設定処理（Ｓ１３０３）においても、ＬＣＤ３６に「記録紙なし」のエラー表示が表示されている場合には、その他条件設定処理（Ｓ１３０３）が終了するように構成されているので、ＬＣＤ３６に「記録紙なし」のエラー表示が表示された状態で、コピー機能処理（図１０参照）におけるＳ１０１２の処理が実行される。
【０１６２】
従って、コピー機能（カラーコピー機能又はモノクロコピー機能）の実行に必要とされる記録紙が残量なし（残量不足）である場合には、かかるエラー表示からコピーレディ画面への切り換えが禁止される。そのため、資材不足の状態ではエラー表示の継続によって、コピー機能の実行指示を与える機会が失われるので、記録紙の残量に係わるエラー表示が何度も繰り返して表示されることがないので、１行表示タイプのＬＣＤ３６にエラー表示がされることによる煩わしさ等が軽減され、操作の快適性が向上する。
【０１６３】
一方で、Ｓ１３０２の処理により確認した結果、ＬＣＤ３６に「記録紙なし」のエラー表示が表示されていなければ（Ｓ１３０２：Ｎｏ）、ＬＣＤ３６に「光沢紙なし」のエラー表示が表示中であるかを確認する（Ｓ１３０４）。
【０１６４】
Ｓ１３０４の処理により確認した結果、ＬＣＤ３６に「光沢紙なし」のエラー表示が表示されていれば（Ｓ１３０４：Ｙｅｓ）、次いで、画質キー７３の押下によって「Ｆｉｎｅ」をＬＣＤ３６に表示させ、決定キー（入力操作キー３４の１つ）を押下して「Ｆｉｎｅ」が選択されたかを確認する（Ｓ１３０５）。Ｓ１３０５の処理により確認した結果、「Ｆｉｎｅ」が選択された場合には（Ｓ１３０５：Ｙｅｓ）、Ｓ１３０３の処理へ移行する。
【０１６５】
一方で、Ｓ１３０５の処理により確認した結果、「Ｆｉｎｅ」が選択されていなければ（Ｓ１３０５：Ｎｏ）、その他画質（「Ｔｅｘｔ」又は「Ａｕｔｏ」）が選択されたかを確認する（Ｓ１３０６）。Ｓ１３０６の処理により確認した結果、その他画質も選択されていない場合には（Ｓ１３０６：Ｎｏ）、Ｓ１３０５の処理へ戻る。
【０１６６】
ここで、Ｓ１３０６の処理により確認した結果、その他画質（「Ｔｅｘｔ」又は「Ａｕｔｏ」）が選択されていれば（Ｓ１３０６：Ｙｅｓ）、選択された画質に設定した上で、ＬＣＤ３６にコピーレディ画面を表示し（Ｓ１３０７）、Ｓ１３０３の処理へ移行する。
【０１６７】
よって、このコピー条件設定処理によれば、高画質コピーの際に必要とされる光沢紙が給紙トレイ（図示せず）にないことを示す「光沢紙なし」のエラー表示がＬＣＤ３６に表示されていた場合には、画質を高画質に（「Ｆｉｎｅ」）設定しようとしても、ＬＣＤ３６に表示中のエラー表示がコピーレディ画面に切り換わることなく、エラー表示が継続されることになる。そのため、かかるエラー表示が何度も繰り返して表示されることがないので、１行表示タイプのＬＣＤ３６にエラー表示がされることによる煩わしさ等が軽減され、操作の快適性が向上する。また、高画質が選択された場合には、光沢紙を用いた高画質コピーが確実に実行されるので、確実な品質維持を行い得るという効果がある。
【０１６８】
Ｓ１３０４の処理により確認した結果、ＬＣＤ３６に「光沢紙なし」のエラー表示が表示されていない、即ち、「普通紙なし」のエラー表示中か、又はエラー表示がない場合には（Ｓ１３０４：Ｎｏ）、画質が「Ｆｉｎｅ」、「Ｔｅｘｔ」、又は「Ａｕｔｏ」のいずれかに選択されたかを確認し（Ｓ１３０８）、画質の選択が確認されなければ（Ｓ１３０８：Ｎｏ）、Ｓ１３０８の処理へ戻り、画質の選択があるまで待機する。
【０１６９】
一方で、Ｓ１３０８の処理により確認した結果、画質が選択された場合には（Ｓ１３０８：Ｙｅｓ）、選択された画質に設定した上で、ＬＣＤ３６にコピーレディ画面を表示し（Ｓ１３０７）、Ｓ１３０３の処理へ移行する。
【０１７０】
なお、本実施形態では、コピー機能処理について詳述して説明したが、プリント機能処理についても、図１０から図１３の各処理において、コピーがプリントに置き換わった同様の処理が行われる。
【０１７１】
以上説明したように、本実施形態のＭＦＤ１によれば、適宜補給する必要のある資材（消耗品）の残量がないことが検出され、かかる検出に基づいてＬＣＤ３６にエラー表示がされている場合には、ユーザにより所定の機能が選択（指定）されたとしても、選択（指定）された機能を実行する上で必要とされる資材が、エラー表示の対象となる資材である場合には、表示中のエラー表示を対応する機能のレディ画面へ切り換えることが禁止される。
【０１７２】
そのため、ユーザが消耗品の残量不足によって使用できない機能を実行する可能性があると判断された場合に表示切換を禁止することで、資材の残量不足によって使用できない機能に対して実行指示を与える機会が失われるので、かかる機能の実行指示を行った際に改めてエラー表示がされることがなく、エラー表示に対する煩わしさ等を軽減できる。また、警告表示が必要である場合には、確実に警告表示がされる。その結果、操作の快適性を向上させることができ、ユーザによる使用感や使い勝手を向上させることができるのである。
【０１７３】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１７４】
例えば、上記実施形態では、コピー条件設定処理（図１３参照）により、画質が変更されたことに応じて、エラー表示からレディ画面への切り換えを禁止することを例示したが、設定値の変更によるかかる表示切り換えの禁止は、画質に限定されるものではない。例えば、所定の大きさの記録紙の残量がないことを示すエラー表示の表示中に、拡大率又は縮小率が変更された場合に、拡大又は縮小後の画像を印刷可能な大きさの記録紙がエラー表示の対象であるときにレディ表示への切り換えを禁止するような構成であってもよい。
【０１７５】
また、上記実施形態におけるコピー条件設定処理（図１３参照）では、ＬＣＤ３６に「光沢紙なし」のエラー表示がされていた場合に、画質として「Ｆｉｎｅ」が選択された場合には、表示の切り換えをしないように構成したが、ＬＣＤ３６に「光沢紙なし」のエラー表示がされている場合に、画質として「Ｆｉｎｅ」を選択するための画面が表示されないような構成であってもよい。
【０１７６】
また、上記実施形態では、シアンインク残量センサ５２や、マゼンタインク残量センサ５４や、イエローインク残量センサ５６や、ブラックインク残量センサ５８として、光学的センサを例示したが、これに限定されるものではなく、インク残量を検出し得るセンサであれば代替可能である。同様に、普通紙残量センサ６２や光沢紙残量センサ６４として、リミット式センサを例示したが、これに限定されるものではなく、給紙トレイ内の記録紙残量を検出し得るセンサであれば代替可能である。
【０１７７】
また、消耗品は、インクや光沢紙だけでなく、トナー、インクリボンなど消耗品であればよい。また、上記実施形態では、初期設定として、すべての機能の使用が許可されているが、これに限らず、ユーザによって設定可能にしてもよい。
【図面の簡単な説明】
【０１７８】
【図１】本発明における一実施形態のＭＦＤの構成を示すブロック図である。
【図２】操作パネルを示す模式図である。
【図３】ＲＯＭ内に記憶されているユーザ使制限テーブルを表す模式図である。
【図４】ＭＦＤ１のＣＰＵにより実行されるメイン処理を示すフローチャートである。
【図５】初期画面表示処理を示すフローチャートである。
【図６】表示画面変更処理を示すフローチャートである。
【図７】ファクシミリ受信処理を示すフローチャートである。
【図８】機能処理を示すフローチャートである。
【図９】インク残量エラー表示処理を示すフローチャートである。
【図１０】コピー機能処理を示すフローチャートである。
【図１１】用紙残量検出処理を示すフローチャートである。
【図１２】用紙残量エラー表示処理を示すフローチャートである。
【図１３】コピー条件設定処理を示すフローチャートである。
【符号の説明】
【０１７９】
１            ＭＦＤ（画像形成装置）
１４ａ        ユーザ使用制限テーブル（使用制限記憶手段）
３４          操作入力キー（機能実行指定手段、動作指示指定手段、設定値変更手段）
３６          ＬＣＤ（表示部）
５２          シアンインク残量センサ（残量検出手段）
５４          マゼンタインク残量センサ（残量検出手段）
５６          イエローインク残量センサ（残量検出手段）
５８          ブラックインク残量センサ（残量検出手段）
６２          普通紙残量センサ（残量検出手段）
６４          光沢紙残量センサ（残量検出手段）
【図１】
2008092221.tif 000003
【図２】
2008092221.tif 000004
【図３】
2008092221.tif 000005
【図４】
2008092221.tif 000006
【図５】
2008092221.tif 000007
【図６】
2008092221.tif 000008
【図７】
2008092221.tif 000009
【図８】
2008092221.tif 000010
【図９】
2008092221.tif 000011
【図１０】
2008092221.tif 000012
【図１１】
2008092221.tif 000013
【図１２】
2008092221.tif 000014
【図１３】
2008092221.tif 000015